【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
電磁駆動弁であって、
弁軸を有し、前記弁軸が延びる方向に沿って往復運動する複数の弁要素と、
前記弁軸と連動する駆動端から枢軸端まで延び、前記枢軸端に沿って延びる中心軸を中心に回動する回動部材と、
前記弁要素を支持する支持部材と、
前記回動部材に押圧されて前記複数の弁要素を移動させる１つのプッシュプレートとを備え、
前記複数の弁要素は、少なくとも第１の弁要素および第２の弁要素を含み、前記回動部材が下方向に回動するとき前記第１の弁要素と前記第２の弁要素とで弁リフト量が異なる、電磁駆動弁。
【請求項２】
前記回動部材と前記プッシュプレートとの間に介在するステムをさらに備え、前記ステムと前記プッシュプレートとは球面接触する、請求項１に記載の電磁駆動弁。
【請求項３】
前記第２の弁要素は、前記プッシュプレートに対して前記弁軸が延びる方向に移動可能になるように前記プッシュプレートによって支持される、請求項１に記載の電磁駆動弁。
【請求項４】
前記複数の弁要素の少なくとも１つの前記弁軸と前記プッシュプレートとを回動可能に接続する回転ジョイント機構と、
前記回転ジョイント機構に接続された前記弁軸の開弁動作を停止させる停止部とをさらに備えた、請求項１に記載の電磁駆動弁。
【請求項５】
前記回動部材から前記プッシュプレートに力が伝わる位置を複数の前記弁要素の並ぶ方向に変えることが可能な移動部をさらに備えた、請求項４に記載の電磁駆動弁。
【請求項６】
前記プッシュプレートは互いに長手方向にスライド可能な被挿入体と挿入体とを有し、
前記被挿入体は回転ジョイント機構を介して一方の前記弁要素に接続され、前記挿入体は別の回転ジョイント機構を介して他方の前記弁要素に接続され、
前記プッシュプレートは、前記被挿入体と前記挿入体とのスライドを停止させるロック機構をさらに備え、
前記回動部材から前記プッシュプレートへの力の伝達位置は、前記プッシュプレートの中心から長手方向にずれている、請求項１に記載の電磁駆動弁。
【請求項７】
電磁駆動弁であって、
弁軸（１２，１１２）を有し、前記弁軸（１２，１１２）が延びる方向に沿って往復運動する、少なくとも第１の弁要素（１４）および第２の弁要素（１１４）を含む複数の弁要素（１４，１１４）と、
前記弁軸（１２，１１２）と連動する駆動端（３２）から枢軸端（３３）まで延び、前記枢軸端（３３）に沿って延びる中心軸（３５）を中心に回動する回動部材（３０）と、
前記弁要素（１４，１１４）を支持する支持部材（４３）と、
前記回動部材（３０）に押圧されて前記複数の弁要素（１４，１１４）を移動させる１つのプッシュプレート（６８）と、
回動軸を中心に前記回動部材（３０）を回動させる駆動源（６０，１６０）と、
第１の付勢部材（１７）および第２の付勢部材（１１７）とを備え、
前記駆動源は、前記回動部材（３０）の上に配置された上側電磁石（６０）と、前記回動部材（３０）の下に配置された下側電磁石（１６０）とを含み、
前記上側電磁石（６０）および下側電磁石（１６０）が前記回動部材（３０）を引き寄せるための吸引力を交互に発生するようにさせるために、電流が前記上側電磁石（６０）と前記下側電磁石（１６０）とに交互に印加され、前記回動部材（３０）は前記回動軸を中心に回動し、
前記第１の付勢部材（１７）は、前記第１の弁要素（１４）が前記回動部材（３０）の方に移動するように前記第１の弁要素（１４）に付勢力を加え、前記第２の付勢部材（１１７）は、前記第２の弁要素（１１４）が前記回動部材（３０）の方に移動するように前記第２の弁要素（１１４）に付勢力を加え、
前記第１の付勢部材（１７）の付勢力は前記第２の付勢部材（１１７）の付勢力よりも大きく、
前記第１の付勢部材（１７）によって付勢力が加えられる前記第１の弁要素（１４）は前記プッシュプレート（６８）に固定される、電磁駆動弁。
【請求項８】
電磁駆動弁であって、
弁軸（１２，１１２）を有し、前記弁軸（１２，１１２）が延びる方向に沿って往復運動する、少なくとも第１の弁要素（１４）および第２の弁要素（１１４）を含む複数の弁要素（１４，１１４）と、
前記弁軸（１２，１１２）と連動する駆動端（３２）から枢軸端（３３）まで延び、前記枢軸端（３３）に沿って延びる中心軸（３５）を中心に回動する回動部材（３０）と、
前記弁要素（１４，１１４）を支持する支持部材（４３）と、
前記回動部材（３０）に押圧されて前記複数の弁要素（１４，１１４）を移動させる１つのプッシュプレート（６８）と、
回動軸を中心に前記回動部材（３０）を回動させる駆動源（６０，１６０）とを含み、
前記駆動源は、前記回動部材（３０）の上に配置された上側電磁石（６０）と、前記回動部材（３０）の下に配置された下側電磁石（１６０）とを含み、
前記上側電磁石（６０）および前記下側電磁石（１６０）が前記回動部材（３０）を引き寄せるための吸引力を交互に発生するようにさせるために、電流が前記上側電磁石（６０）と前記下側電磁石（１６０）とに交互に印加され、前記回動部材（３０）は前記回動軸を中心に回動し、
付勢部材（１７）の数は前記弁要素（１４，１１４）の数よりも少なく、前記付勢部材（１７）は、前記プッシュプレート（６８）が前記回動部材（３０）の方に移動するように付勢力を前記プッシュプレートに加える、電磁駆動弁。
【手続補正２】
【補正対象書類名】明細書
【補正対象項目名】０００５
【補正方法】変更
【補正の内容】
【０００５】
この発明の１つの局面に従った電磁駆動弁は、弁軸を有し、弁軸が延びる方向に沿って往復運動する複数の弁要素と、弁軸と連動する駆動端から枢軸端まで延び、枢軸端に沿って延びる中心軸を中心に回動する回動部材と、弁要素を支持する支持部材と、回動部材に押圧されて複数の弁要素を移動させる１つのプッシュプレートとを備え、複数の弁要素は、少なくとも第１の弁要素および第２の弁要素を含み、回動部材が下方向に回動するとき第１の弁要素と第２の弁要素とで弁リフト量が異なる。
好ましくは、回動部材とプッシュプレートとの間に介在するステムをさらに備え、ステムとプッシュプレートとは球面接触する。
好ましくは、第２の弁要素は、プッシュプレートに対して弁軸が延びる方向に移動可能になるようにプッシュプレートによって支持される。
好ましくは、複数の弁要素の少なくとも１つの弁軸とプッシュプレートとを回動可能に接続する回転ジョイント機構と、回転ジョイント機構に接続された弁軸の開弁動作を停止させる停止部とをさらに備える。
好ましくは、回動部材からプッシュプレートに力が伝わる位置を複数の弁要素の並ぶ方向に変えることが可能な移動部をさらに備える。
好ましくは、プッシュプレートは互いに長手方向にスライド可能な被挿入体と挿入体とを有し、被挿入体は回転ジョイント機構を介して一方の弁要素に接続され、挿入体は別の回転ジョイント機構を介して他方の弁要素に接続され、プッシュプレートは、被挿入体と挿入体とのスライドを停止させるロック機構をさらに備え、回動部材からプッシュプレートへの力の伝達位置は、プッシュプレートの中心から長手方向にずれている。
この発明の別の局面に従った電磁駆動弁は、弁軸を有し、弁軸が延びる方向に沿って往復運動する、少なくとも第１の弁要素および第２の弁要素を含む複数の弁要素と、弁軸と連動する駆動端から枢軸端まで延び、枢軸端に沿って延びる中心軸を中心に回動する回動部材と、弁要素を支持する支持部材と、回動部材に押圧されて複数の弁要素を移動させる１つのプッシュプレートと、回動軸を中心に回動部材を回動させる駆動源と、第１の付勢部材および第２の付勢部材とを備え、駆動源は、回動部材の上に配置された上側電磁石と、回動部材の下に配置された下側電磁石とを含み、上側電磁石および下側電磁石が回動部材を引き寄せるための吸引力を交互に発生するようにさせるために、電流が上側電磁石と下側電磁石とに交互に印加され、回動部材は回動軸を中心に回動し、第１の付勢部材は、第１の弁要素が回動部材の方に移動するように第１の弁要素に付勢力を加え、第２の付勢部材は、第２の弁要素が回動部材の方に移動するように第２の弁要素に付勢力を加え、第１の付勢部材の付勢力は第２の付勢部材の付勢力よりも大きく、第１の付勢部材によって付勢力が加えられる第１の弁要素はプッシュプレートに固定される。
この発明のさらに別の局面に従った電磁駆動弁は、弁軸を有し、弁軸が延びる方向に沿って往復運動する、少なくとも第１の弁要素および第２の弁要素を含む複数の弁要素と、弁軸と連動する駆動端から枢軸端まで延び、枢軸端に沿って延びる中心軸を中心に回動する回動部材と、弁要素を支持する支持部材と、回動部材に押圧されて複数の弁要素を移動させる１つのプッシュプレートと、回動軸を中心に回動部材を回動させる駆動源とを含み、駆動源は、回動部材の上に配置された上側電磁石と、回動部材の下に配置された下側電磁石とを含み、上側電磁石および下側電磁石が回動部材を引き寄せるための吸引力を交互に発生するようにさせるために、電流が上側電磁石と下側電磁石とに交互に印加され、回動部材は回動軸を中心に回動し、付勢部材の数は弁要素の数よりも少なく、付勢部材は、プッシュプレートが回動部材の方に移動するように付勢力をプッシュプレートに加える。